(57)【特許請求の範囲】
【請求項１】
記録媒体に記録されている動画を再生モードに応じて再生する再生手段と、
前記記録媒体から再生された信号から特徴点情報を抽出する抽出手段と、
前記特徴点情報に基づいて、再生モードを切り換える切換手段と、
前記再生モードが高速再生モードであるときの前記再生手段による高速再生を解除する解除信号を入力する入力手段と
を備え、
前記切換手段は、前記再生手段が高速再生で前記記録媒体に記録されている動画を再生しているときに、前記入力手段により前記解除信号が入力されたとき、前記特徴点情報に基づいて前記解除信号が入力された時点から最も近い特徴点を検出し、検出した特徴量が所定の範囲内のものか否かを判定するとともに、範囲内のものではないと判定した場合、解除信号が入力された時点に応じた位置からの通常再生が行われるように、再生モードを切り換える
ことを特徴とする情報再生装置。
【請求項２】
前記所定の範囲は、所定のアドレス上の距離または所定の時間である  ことを特徴とする請求項１に記載の情報再生装置。
【請求項３】
記録媒体に記録されている動画を再生モードに応じて再生する再生ステップと、
前記記録媒体から再生された信号から特徴点情報を抽出する抽出ステップと、
前記特徴点情報に基づいて、再生モードを切り換える切換ステップと、
前記再生モードが高速再生モードであるときの前記再生ステップでの高速再生を解除する解除信号を入力する入力ステップと
を含み、
前記切換ステップは、前記再生ステップでの処理で高速再生で前記記録媒体に記録されている動画を再生しているときに、前記入力ステップの処理で前記解除信号が入力されたとき、前記特徴点情報に基づいて前記解除信号が入力された時点から最も近い特徴点を検出し、検出した特徴量が所定の範囲内のものか否かを判定するとともに、範囲内のものではないと判定した場合、解除信号が入力された時点に応じた位置からの通常再生が行われるように、再生モードを切り換える
ことを特徴とする情報再生方法。
【請求項４】
情報を再生する情報再生装置を制御するプロセッサに実行させるプログラムを提供する提供媒体において、
記録媒体に記録されている動画を再生モードに応じて再生する再生ステップと、
前記記録媒体から再生された信号から特徴点情報を抽出する抽出ステップと、
前記特徴点情報に基づいて、再生モードを切り換える切換ステップと、
前記再生モードが高速再生モードであるときの前記再生ステップでの高速再生を解除する解除信号を入力する入力ステップと
を含み、
前記切換ステップは、前記再生ステップでの処理で高速再生で前記記録媒体に記録されている動画を再生しているときに、前記入力ステップの処理で前記解除信号が入力されたとき、前記特徴点情報に基づいて前記解除信号が入力された時点から最も近い特徴点を検出し、検出した特徴量が所定の範囲内のものか否かを判定するとともに、範囲内のものではないと判定した場合、解除信号が入力された時点に応じた位置からの通常再生が行われるように、再生モードを切り換える
プログラムを提供することを特徴とする提供媒体。
【発明の詳細な説明】
【０００１】
【発明の属する技術分野】
本発明は、情報再生装置および方法、並びに提供媒体に関し、特に、再生される情報の特徴点に基づいて、再生モードを切り換えることより、特徴点を確実に検索できるようにした情報再生装置および方法、並びに提供媒体に関する。
【０００２】
【従来の技術】
光デイスクまたは半導体メモリなどの記録媒体に映像信号または音声信号を記録し、それを再生する記録再生装置は、ノンリニア記録再生装置とも称され、記録媒体に記録した順序とは関係なく、記録媒体のどのアドレスにでも直接、アクセスできる、いわゆる、ランダムアクセスが可能であり、多様な記録再生処理を行うことができる。
【０００３】
例えば、ユーザは、テレビジョン放送を記録媒体に記録した後、これを記録再生する場合、通常より高速に映像が再生される高速再生処理を行いないながら、放送の中で特徴がある点（以下特徴点と称する）、例えば、コマーシャルメッセージ（以下ＣＭと略称する）の開始または終了する点、シーンが変更する点、またはテロップが挿入される点を検索し、それ以降の映像を通常再生するときがあるが、ノンリニア記録再生装置は、このような処理に高速かつ正確に対応することができるようになされている。
【０００４】
ノンリニア記録再生装置は、特に、特徴点の検索方式において研究がされている。例えば、「多田、木島  ”ＴＶ放送のＣＭ検出方法についての一検討”，映像情報メデイア学会技術報告、ITE Technical Report Vol.21,No.23,pp.19-23」には、音声信号や映像信号の特徴から、番組素材とＣＭ素材を検出する方法が提案されている。「金子、堀、”動きベクトル符号量を用いたＭＰＥＧ動画像からの高速カット検出”，信学技報、PRMU96-100(1996-11),pp.55-62」には、MPEG(Moving Picture Exoerts Group)ビットストリームの動きベクトルの符号量をもとに、シーン変更点を高速に検出する方法が提案されている。「佐藤、新倉他，”ＭＰＥＧ２映像からのカット点とテロップの効能率検出法”，信学技報、PRMU96-99(1996-11),pp.47-54」には、MPEGビットストリームから、Ｐピクチャの動き予測の参照先フィールドを調べ、シーンの変更点を高速に検出し、No MC Codedマクロブックの出現頻度を調べることによって、テロップの挿入点を高速に検出する方法が提案されている。
【０００５】
【発明が解決しようとする課題】
しかしながら、上述したような特徴点は、短い映像または音声の場合が多く、ノンリニア記録再生装置は、これらの特徴点を高速に検索することができるものの、実際、ユーザが記録再生装置を操作し、高速再生しながら所望の特徴点を検索すると、ユーザがその特徴点を見逃してしまったり、また、記録再生装置の操作が遅れたりして、所望の映像または音声を入手できない課題がある。
【０００６】
本発明はこのような状況に鑑みてなされたものであり、特徴点に対応して、再生モードを切り換えることより、ユーザが特徴点を確実に検索できるようにしたものである。
【０００７】
【課題を解決するための手段】
本発明の情報再生装置は、記録媒体に記録されている動画を再生モードに応じて再生する再生手段と、記録媒体から再生された信号から特徴点情報を抽出する抽出手段と、特徴点情報に基づいて、再生モードを切り換える切換手段と、再生モードが高速再生モードであるときの再生手段による高速再生を解除する解除信号を入力する入力手段とを備え、切換手段は、再生手段が高速再生で記録媒体に記録されている動画を再生しているときに、入力手段により解除信号が入力されたとき、特徴点情報に基づいて解除信号が入力された時点から最も近い特徴点を検出し、検出した特徴量が所定の範囲内のものか否かを判定するとともに、範囲内のものではないと判定した場合、解除信号が入力された時点に応じた位置からの通常再生が行われるように、再生モードを切り換えることを特徴とする。
【０００８】
所定の範囲は、所定のアドレス上の距離または所定の時間であるようにすることができる。
【０００９】
本発明の情報再生方法は、記録媒体に記録されている動画を再生モードに応じて再生する再生ステップと、記録媒体から再生された信号から特徴点情報を抽出する抽出ステップと、特徴点情報に基づいて、再生モードを切り換える切換ステップと、再生モードが高速再生モードであるときの再生ステップでの高速再生を解除する解除信号を入力する入力ステップとを含み、切換ステップは、再生ステップでの処理で高速再生で記録媒体に記録されている動画を再生しているときに、入力ステップの処理で解除信号が入力されたとき、特徴点情報に基づいて解除信号が入力された時点から最も近い特徴点を検出し、検出した特徴量が所定の範囲内のものか否かを判定するとともに、範囲内のものではないと判定した場合、解除信号が入力された時点に応じた位置からの通常再生が行われるように、再生モードを切り換えることを特徴とする。
【００１０】
本発明の提供媒体のプログラムは、記録媒体に記録されている動画を再生モードに応じて再生する再生ステップと、記録媒体から再生された信号から特徴点情報を抽出する抽出ステップと、特徴点情報に基づいて、再生モードを切り換える切換ステップと、再生モードが高速再生モードであるときの再生ステップでの高速再生を解除する解除信号を入力する入力ステップとを含み、切換ステップは、再生ステップでの処理で高速再生で記録媒体に記録されている動画を再生しているときに、入力ステップの処理で解除信号が入力されたとき、特徴点情報に基づいて解除信号が入力された時点から最も近い特徴点を検出し、検出した特徴量が所定の範囲内のものか否かを判定するとともに、範囲内のものではないと判定した場合、解除信号が入力された時点に応じた位置からの通常再生が行われるように、再生モードを切り換えることを特徴とする。
本発明の情報再生装置および方法、並びに提供媒体のプログラムにおいては、記録媒体に記録されている動画を再生モードに応じて再生され、記録媒体から再生された信号から特徴点情報が抽出され、特徴点情報に基づいて、再生モードが切り換えられ、再生モードが高速再生モードであるときの高速再生を解除する解除信号が入力され、高速再生で記録媒体に記録されている動画を再生しているときに、解除信号が入力されたとき、特徴点情報に基づいて解除信号が入力された時点から最も近い特徴点が検出され、検出された特徴量が所定の範囲内のものか否かが判定されるとともに、範囲内のものではないと判定された場合、解除信号が入力された時点に応じた位置からの通常再生が行われるように、再生モードが切り換えられる。
【００１１】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１２】
請求項１に記載の情報再生装置は、記録媒体に記録されている情報を再生する再生手段（例えば、図１の再生処理部６）と、記録媒体から再生された信号から特徴点情報を抽出する抽出手段（例えば、図３のシステムコントローラ２）と、特徴点情報に基づいて、再生モードを切り換える切換手段（例えば、図３のシステムコントローラ２）とを備えることを特徴とする。
【００１３】
次に、図１を参照して、本発明を適用した情報再生装置の一実施の形態について説明する。図１において、記録制御信号入力部１は、システムコントローラ２に記録処理を指令するとき操作され、再生制御信号入力部３は、システムコントローラ２に再生処理を指令するとき操作される。システムコントローラ２は、記録制御信号入力部１または再生制御信号入力部３からの制御信号に基づいて、デイスクヘッド制御部４、記録処理部５、および再生処理部６を制御し、記録処理および再生処理など所定の処理を実行させるようになされている。
【００１４】
記録処理部５は、所定の伝送路を介して伝送されてきた映像信号および音声信号に所定の処理を施し、記録媒体７に供給するようになされている。デイスクヘッド制御部４は、例えば光デイスク、よりなる記録媒体７を制御し、記録処理部５からの信号を、記録媒体７の所定の番地に記録させたり、記録媒体７から所定の信号を読み出させ、再生処理部６に供給させたりする。
【００１５】
再生処理部６は、記録媒体７から供給される再生信号を処理し、出力するようになされている。
【００１６】
なお、再生処理部６によって再生された映像信号または音声信号を、記録処理部５に入力させるようにすることもできる。
【００１７】
記録処理部５は、図２に示すように構成されている。例えば、ビデオテープレコーダ（図示せず）より出力された映像信号、ビデオカメラ（図示せず）から出力された映像信号、またはテレビジョン放送などアンテナ（図示せず）を介して入力される映像信号は、それぞれ映像信号処理装置１０、ビデオカメラ信号処理装置１１、またはチューナ信号処理装置１２に入力され、所定の処理が施されるようになされている。また、DVD(Digital Video Disc)より再生出力された信号または圧縮デイジタル信号は、それぞれDVD方式伸長装置１３、または圧縮方式変換装置１４に入力され、所定の処理が施されるようになされている。
【００１８】
映像信号記録部２０の信号切換装置２１は、映像信号処理装置１０、ビデオカメラ信号処理装置１１、およびチューナ信号処理装置１２からの信号から、所定の映像信号を選択し、Ａ／Ｄ変換装置２２に出力するようになされている。Ａ／Ｄ変換装置２２は、信号切換装置２１からの信号をＡ／Ｄ変換し、信号切換装置２３に出力するようになされている。信号切換装置２３は、Ａ／Ｄ変換装置２２からの信号、図示せぬ装置から直接入力されたデイジタル映像信号、またはＤＶＤ方式伸長装置１３の出力する映像信号から、所定の信号を選択し、帯域圧縮装置２４および特徴点抽出処理装置２５に出力するようになされている。
【００１９】
帯域圧縮装置２４は、信号切換装置２３からの信号を、記録用バッファ２７がオーバフロまたはアンダーフロしないように量子化し、例えば、MPEG(Moving Picture Experts Group)またはJPEG(Joint Photographic Experts Group)方式に基づいて、帯域圧縮し、信号切換装置２６に出力するようになされている。帯域圧縮装置２４はまた、量子化量に対応する情報を特徴点抽出処理装置２５に出力している。信号切換装置２６は、帯域圧縮装置２４からの映像信号と圧縮方式変換装置１４からの映像信号から、所定の信号を選択し、記録用バッファ２７に出力するようになされている。記録用バッファ２７は、信号切換装置２６から入手した信号を、データバス２９を介して、記録データ処理装置２８に供給するようになされている。
【００２０】
例えば、テープレコーダ（図示せず）より再生出力された音声信号、マイクロフォン（図示せず）からの音声信号、またはテレビジョン放送などアンテナ（図示せず）を介して入力される音声信号は、それぞれ音声信号処理装置３０、マイクロホン信号処理装置３１、またはチューナ信号処理装置１２に入力され、所定の処理が施されるようになされている。
【００２１】
音声信号記録部４０の信号切換装置４１は、音声信号処理装置３０、マイクロホン信号処理装置３１、またはチューナ信号処理装置１２からの信号から、所定の音声信号を選択し、Ａ／Ｄ変換装置４２に出力するようになされている。Ａ／Ｄ変換装置４２は、信号切換装置４１からの信号をＡ／Ｄ変換し、信号切換装置４３に出力するようになされている。信号切換装置４３は、Ａ／Ｄ変換装置４２からの信号、図示せぬ装置から直接入力されたデイジタル音声信号、またはＤＶＤ方式伸長装置１３の出力する音声信号から、所定の信号を選択し、帯域圧縮装置４４および特徴点抽出処理装置２５に出力するようになされている。
【００２２】
帯域圧縮装置４４は、信号切換装置４３からの信号を記録用バッファ４７がオーバフロまたはアンダーフロしないように、量子化し、例えば、MPEGオーデイオまたはＡＣ−３方式に基づいて、帯域圧縮し、信号切換装置４６に出力するようになされている。帯域圧縮装置４４はまた、音声信号の量子化量に対応する信号を特徴点抽出処理装置２５に出力している。信号切換装置４６は、帯域圧縮装置４４からの信号と圧縮方式変換装置１４からの音声信号から、所定の信号を選択し、記録用バッファ４７に出力するようになされている。記録用バッファ４７は、信号切換装置４６から入手した信号を、データバス２９を介して、記録データ処理装置２８に供給するようになされている。
【００２３】
デイジタル通信処理装置４８は、例えば、インターネットからの情報やデイジタル放送を受信し、所定の処理を施し、特徴点抽出処理装置２５に送信するようになされている。
【００２４】
特徴点抽出処理装置２５は、信号切換装置２３、信号切換装置４３、帯域圧縮装置２４、帯域圧縮装置４４、デイジタル信号処理装置４８、またはチューナ信号処理装置１２からの信号から特徴点に関する情報（例えば、特徴点のアドレス）を抽出し、データバス２９を介して、記録データ処理装置２８に供給するようになされている。
【００２５】
記録データ処理装置２８は、映像信号記録部２０からの映像信号、音声信号記録部４０からの音声信号、および特徴点抽出処理装置２５からの特徴点に関する情報を必要に応じて多重化し、さらに記録媒体７に対応する所定の記録フォーマットに変換し、記録媒体７に供給するようになされている。特徴点に関する情報は、例えば、記録媒体７のTOC(Table Of Contents)に記録される。
【００２６】
システムコントローラ２は、所定の特徴点に関する情報を特徴点抽出処理装置２５に供給し、また映像信号記録部２０、記録データ処理装置２８、および音声信号記録部４０を、デイスクヘッド制御部４とともに制御するようになされている。
【００２７】
映像信号および音声信号の特徴点のうち、例えば、プログラム（番組）の開始点、記録開始点、記録一時停止解除点、記録日付変更点、静止画記録開始点に関する情報は、システムコントローラ２から特徴点抽出処理装置２５に供給されるようになされている。また、例えば、ＣＭ開始点叉は終了点、テロップ挿入点、およびシーン変更点に関する情報は、信号切換装置２３または信号切換装置４３からの信号から、特徴点抽出処理装置２５が抽出するようになされている。また、例えば、ハイライトシーン開始点に関する情報は、デイジタル通信処理装置４８からの信号から、特徴点抽出処理装置２５が抽出するようになされている。
【００２８】
次に、図３に、再生処理部６の構成例を示めす。記録媒体７から供給される信号は、再生データ処理装置５０で、例えば、EFM(Eight to Fourteen modulation)復調され、所定の再生フォーマットに対応するように処理されるとともに、映像信号、音声信号および圧縮デイジタル信号に分けられる。再生データ処理装置５０からの映像信号は、ＣＨ１とＣＨ２の２つのチャンネル分の信号に分けられ、データバス５１を介して、映像信号再生部６０の再生用バッファ６１−１，６１−２にそれぞれ入力されるようになされている。
【００２９】
再生用バッファ６１−１は、再生データ処理装置５０から入手した信号を、帯域伸長装置６２−１に供給するようになされている。帯域伸長装置６２−１は、例えば  MPEGまたはJPEG方式に基づいて、再生用バッファ６１−１から入力された信号を伸長し、信号生成装置６３に出力するようになされている。
【００３０】
ＣＨ１の再生用バッファ６１−１と帯域伸長装置６２−１に対して、ＣＨ２にもＣＨ２の再生用バッファ６１−２と帯域伸長装置６２−２が設けられている。
【００３１】
信号生成装置６３は、帯域伸長装置６２−１の出力する信号と帯域伸長装置６２−２の出力する信号から、所定の信号を生成し、Ｄ／Ａ変換装置６４−１とＤＶＤ方式圧縮装置６５に出力するようになされている。Ｄ／Ａ変換装置６４−１は、信号生成装置６３から入力された信号を、Ｄ／Ａ変換し、再生信号出力装置６６−１、または図示せぬ機器に出力するようになされている。再生信号出力装置６６−１は、Ｄ／Ａ変換装置６４−１からの信号に、例えば、クロマエンコード処理などを施し、図示せぬ機器に出力する。
【００３２】
ＣＨ２の帯域伸長装置６２−２の出力は、ＣＨ１のＤ／Ａ変換装置６４−１および再生信号出力装置６６−１に対応するＤ／Ａ変換装置６４−２および再生信号出力装置６６−２により、同様の処理が施された後、出力されるようになされている。
【００３３】
再生データ処理装置５０からの音声信号は、ＣＨ１とＣＨ２の２つのチャンネル分の信号に分けられ、データバス５１を介して、音声信号再生部７０の再生用バッファ７１−１，７１−２にそれぞれ入力されるようになされている。
【００３４】
この音声信号再生部７０における再生用バッファ７１−１乃至再生信号出力装置７６−２の構成は、映像信号再生部６０における再生用バッファ６１−１乃至再生信号出力装置６６−２の構成と、基本的に同様であるので、その説明は省略する。
【００３５】
次に、特徴点に関する情報と共に記録媒体７に記録されている映像情報および音声信号が再生される場合の処理手順を、図４に示すフローチャートを参照して説明する。
【００３６】
はじめに、ステップＳ１において、システムコントローラ２は、再生する情報のTOCを読み出す。このTOCの読みだしは、デイスクが装置にはじめて挿入されたとき実行され、読み出されたTOCは、システムコントローラ２の内部のメモリに記憶される。次に、ステップＳ２において、システムコントローラ２は、再生制御信号入力部３から再生処理を指令する制御信号の入力があるまで待機し、入力があったとき、次に、ステップＳ３において、システムコントローラ２は、再生処理を指令する制御信号が通常再生に対応するものか、または高速再生に対応するものかを判定する。通常再生とは、ユーザが映像の内容を確認することができる速度（１倍速の速度）で映像を再生する処理を意味し、高速再生とは、通常再生より速い速度で信号を再生することを意味する。従って、高速再生では、ユーザが内容を確認し難い映像が再生される。
【００３７】
ステップＳ３で高速再生に対応する制御信号と判定された場合、ステップＳ４に進み、ステップＳ４においては、高速再生処理が実行される。ここでは、システムコントローラ２が、デイスクヘッド制御部４を制御し、通常再生の場合より速い速度で、記録媒体７を回転させ、そこから信号を再生させ、そして再生データ処理装置５０、映像信号再生部６０、および音声信号再生部７０を制御し、記録媒体７から供給された信号を図示せぬデイスプレイに出力表示させる。
【００３８】
次に、ステップＳ５において、システムコントローラ２は、再生制御信号入力部３から、高速再生を解除する制御信号が入力されたかどうかを判定する。高速再生を解除する制御信号の入力が検知されない場合、ステップＳ６に進む。
【００３９】
次に、ステップＳ６において、システムコントローラ２は、特徴点が接近しているかどうかを判定する。システムコントローラ２は、例えば、特徴点より所定の時間だけ前の所定の位置と、特徴点の間の範囲内に再生点が到達しとき、特徴点が接近しているものと判定する。
【００４０】
ステップＳ６で特徴点が接近していないと判定された場合、ステップＳ４に戻り、高速再生が継続される。ステップＳ６で特徴点が接近していると判定された場合、ステップＳ７に進む。
【００４１】
次に、ステップＳ７において、システムコントローラ２は、デイスクヘッド制御部４を制御し、通常再生より遅い速度で、記録媒体７から信号を再生させ、再生データ処理装置５０、映像信号再生部６０、および音声信号再生部７０を制御し、それを出力表示させる（低速再生させる）。ここで、特徴点が低速で再生されることにより、ユーザは、その特徴点が所望の映像かどうかを容易に認識することができる。例えば、ユーザが、記録されているテレビジョン放送を再生するとき、再生制御信号入力部３を操作し、ＣＭ終了点を特徴点として設定すると、各ＣＭ終了の直前ごとに低速再生が実行される。
【００４２】
なお、ステップＳ７において、低速再生の代わりに、再生を一時停止しておくこともできる。
【００４３】
次に、ステップＳ８において、システムコントローラ２は、再生制御信号入力部３から高速再生を解除する制御信号が入力されているかどうかを判定する。
【００４４】
ステップＳ８で高速再生が解除されていないと判定された場合、ステップＳ９に進む。例えば、低速再生されている、あるＣＭ終了以降の映像が所望の映像でない場合、ユーザは、高速再生を解除しない。ステップＳ９において、システムコントローラ２は、低速再生が所定時間継続されたかどうかを判定する。低速再生の時間が所定時間に達していないとき、ステップＳ７に戻り、低速再生が継続される。高速再生を解除する制御信号が入力されずに、低速再生が所定時間継続されると、ステップＳ４に戻り、高速再生が再び実行される。
【００４５】
ステップＳ８で高速再生を解除する制御信号の入力が検知された場合、ステップＳ１０に進み、システムコントローラ２は、制御信号が入力される直前に再生された特徴点を検出し、その特徴点を再生開始点とし、ステップＳ１１において、通常再生を実行させる。
【００４６】
ステップＳ５で高速再生を解除する制御信号の入力が検知された場合、つまり、ユーザが高速再生を解除する所定の操作を行った場合、ステップＳ１２に進む。ステップＳ１２においては、システムコントローラ２は、高速再生解除の制御信号が入力された時点に、最も近い特徴点を検出し、その特徴点が所定の範囲に存在するかどうか判定する。
【００４７】
例えば、所定の範囲を記録媒体７のアドレス上の距離とし、システムコントローラ２が、制御信号が入力された時点に再生されていた信号と、特徴点のアドレス上の差を算出し、それが所定のアドレス上の距離を超えているかどうか判定したり、また、所定の範囲を時間とし、高速再生解除の制御信号が入力された時刻と、特徴点が再生されたまたは再生される時刻の差を算出し、それが所定の時間を超えているかどうか判定する。
【００４８】
ステップＳ１２で最も近い特徴点が所定の範囲に存在しないと判定された場合、ステップＳ１１に戻り、高速再生解除の制御信号が入力された時点から、通常再生が実行される。ステップＳ１２で最も近い特徴点が所定の範囲に存在すると判定された場合は、ステップＳ１３に進み、ステップＳ１２で検出された特徴点から通常再生が実行される。
【００４９】
図５乃至図１０は、再生される情報の特徴点とユーザの再生制御信号入力部３の操作に対応して、再生モード（通常再生、高速再生、または低速再生）が切り換えられるタイミングを示すタイミングチャートである。次に、これらを参照して、再生モードの切り換えの手順を具体的に説明する。
【００５０】
図５は、ユーザが、時刻Ｔ１において、記録媒体７の通常再生を開始させ、時刻Ｔ２において高速再生を開始させ、時刻Ｔ６（特徴点Ｐ２が再生される時刻）に高速再生を解除し、それ以降通常再生させるように再生制御信号入力部３を操作した場合のタイミングチャートである。
【００５１】
この場合、再生モードは、時刻Ｔ１に通常再生モードになり（ステップＳ１１）、時刻Ｔ２に高速再生モード（ステップＳ４）になる。時刻Ｔ３に、特徴点（いまの場合、特徴点Ｐ１）が接近していると（近傍点であると）判定される（ステップＳ６）と、高速再生は低速再生モードに切り換えられる。特徴点Ｐ１は、ユーザの所望する映像、例えば、所望したＣＭ終了点でないとすると、再生制御信号入力部３は操作されず、時刻Ｔ３から時刻Ｔ４までの所定時間ＴLに渡って、低速再生が継続される（ステップＳ７乃至Ｓ９）。
【００５２】
時刻Ｔ４に、再び高速再生が実行され（ステップＳ４）、特徴点Ｐ２が接近する時刻Ｔ５（近傍点が検出されるまで）まで継続される。時刻Ｔ５において、高速再生は低速再生に切り換えられる。ユーザが、特徴点Ｐ２が所望の映像であると認識すると、時刻Ｔ６において、ユーザは、再生制御信号入力部３を操作し、高速再生を解除する（ステップＳ８）。このことより、低速再生モードが通常再生モードに切り換えられる（ステップＳ１１）。このとき、再生開始点は制御信号が入力された直前に再生された特徴点Ｐ２とされる（ステップＳ１０）。
【００５３】
図６は、再生制御信号入力部３が図５における場合と同様に操作された場合のタイミングチャートであるが、ステップＳ６において、特徴点の近傍点ではなく、特徴点そのものに達したか否かが判定される場合のタイミングチャートである。
【００５４】
図７は、時刻Ｔ４までは図６に示すタイミングチャートの場合と同様の操作が行われ（ただし、ここでは、特徴点Ｐ２は存在しないものとする）、時刻Ｔ１０に、ユーザが、再生制御信号入力部３を操作し、高速再生を解除した場合のタイミングチャートである。
【００５５】
時刻Ｔ１０に、高速再生が解除される（ステップＳ５）と、その時点から最も近い特徴点（いまの場合、特徴点Ｐ１）を検出し、その特徴点Ｐ１が、高速再生が解除された時に再生されていた信号ＰSに対して、所定の範囲Ｌ内（いまの場合、記録媒体７のアドレスの差）であるかどうかが判定（ステップＳ１２）される。いまの場合、特徴点Ｐ１が所定の範囲Ｌ内であるので、特徴点Ｐ１から通常再生が実行される（ステップＳ１３，Ｓ１１）。
【００５６】
高速再生解除の制御信号が入力された時点で最も近い特徴点がまだ再生されていない場合でも、図８に示すタイミングチャートのように、解除のタイミングが所定の範囲内であれば、最も近い特徴点Ｐ２から通常再生が開始される。
【００５７】
図７および図８に示すタイミングチャートでは、最も近い特徴点と高速再生が解除された時点に再生されていた信号のアドレス上の差に基づいて、特徴点が所定の範囲に存在するかどうかが判定されている。これに対して図９に示すタイミングチャートでは、所定の範囲を時間とした場合を示している。
【００５８】
図９に示すタイミングチャートにおいては、特徴点Ｐ１が、高速再生が解除された時刻Ｔ１０から、所定時間ＴM内に再生されていたかどうかが判定される。いまの場合、特徴点Ｐ１がその範囲内であるので、特徴点Ｐ１から通常再生が開始される。
【００５９】
図７乃至図９に示すタイミングチャートは、特徴点に到達した場合、高速再生が低速再生に切り換えられたが、図１０に示すようにして、特徴点の映像を静止画として再生する（フリーズする）ようにしてもよい。
【００６０】
次に、記録媒体７に記録されている映像信号が、ＭＰＥＧなどのように、GOP(Group of Picuture)構造を有している場合のタイミングチャートを図１１に示す。
【００６１】
ＧＯＰ（ｎ＋７）のＰ５（Ｐピクチャの５番目のフレーム）に特徴点が存在するＧＯＰｎ乃至ＧＯＰ（ｎ＋１１）で構成されているストリームが高速再生されている場合、時刻ＴPで高速再生が解除されたとき、最も近い特徴点のＧＯＰのＩピクチャから再生が開始される。いまの場合ＧＯＰ（ｎ＋７）のＩ２（Ｉピクチャの２番目のフレーム）から通常再生が開始されている。
【００６２】
なお、上記したような処理を行うコンピュータプログラムをユーザに提供する提供媒体としては、磁気ディスク、CD-ROM、固体メモリなどの記録媒体の他、ネットワーク、衛星などの通信媒体を利用することができる。
【００６３】
【発明の効果】
本発明によれば、特徴点情報に応じた再生モードで情報を再生することができる。
【図面の簡単な説明】
【図１】本発明を適用した情報再生装置の構成例を示すブロック図である。
【図２】記録処理部５の構成例を示すブロック図である。
【図３】再生処理部６の構成例を示すブロック図である。
【図４】記録媒体７に記録されている映像信号が再生される場合の処理手順を説明するフローチャートである。
【図５】再生モードの切り換タイミングを示すタイミングチャートである。
【図６】再生モードの切り換タイミングを示す他のタイミングチャートである。
【図７】再生モードの切り換タイミングを示す他のタイミングチャートである。
【図８】再生モードの切り換タイミングを示す他のタイミングチャートである。
【図９】再生モードの切り換タイミングを示す他のタイミングチャートである。
【図１０】再生モードの切り換タイミングを示す他のタイミングチャートである。
【図１１】再生モードの切り換タイミングを示す他のタイミングチャートである。
【符号の説明】
１  記録制御信号入力部，  ２  システムコントローラ，  ３  再生制御信号入力部，  ４  デイスクヘッド制御部，  ５  記録処理部，  ６  再生処理部，７  記録媒体，  １０  映像信号処理装置，  １１  ビデオカメラ信号処理装置，  １２  チューナ信号処理装置，  ２０  映像信号記録部，  ２１  信号切換装置，  ２２  Ａ／Ｄ変換装置，  ２３  信号切換装置，  ２４  帯域圧縮装置，  ２５  特徴点抽出処理装置，  ２６  信号切換装置，  ２７  記録用バッファ，  ２８  記録データ処理装置，  ３０  音声信号処理装置，  ３１  マイク信号処理装置，  ４０  音声信号記録部，  ４１  信号切換装置，  ４２  Ａ／Ｄ変換装置，  ４３  信号切換装置，  ４４  帯域圧縮装置，  ４６  信号切換装置，  ４７  記録用バッファ，  ４８  デイジタル通信処理装置，  ５０  再生データ処理装置，  ６０  映像信号再生部，  ６１  再生用バッファ，  ６２  帯域伸長装置，  ６３  信号再生装置，  ６４  Ｄ／Ａ変換装置，  ６５  ＤＶＤ方法圧縮装置，  ６６  再生信号出力装置，  ７０  音声信号再生部，  ７１  再生用バッファ，  ７２  帯域伸長装置，  ７３  信号再生装置，  ７４Ｄ／Ａ変換装置，  ７６  再生信号出力装置
【図１】
0003794146.tif 000002
【図２】
0003794146.tif 000003
【図３】
0003794146.tif 000004
【図４】
0003794146.tif 000005
【図５】
0003794146.tif 000006
【図６】
0003794146.tif 000007
【図７】
0003794146.tif 000008
【図８】
0003794146.tif 000009
【図９】
0003794146.tif 000010
【図１０】
0003794146.tif 000011
【図１１】
0003794146.tif 000012